(57)【要約】【目的】必要な時に必要な場所で手軽に布団を乾燥できる簡単な構造の布団乾燥機を提供すること。【解決手段】布団を掛ける衝立状の乾燥機本体１と、これを直立状態に支持する支持台２とからなり、乾燥機本体１は、本体フレーム４と、これの表面に被着された面状発熱シート５と、この面状発熱シート５の表面に被着された表面保護材６とによって形成されている。【選択図】        図３
2004190974.tif 000002
【特許請求の範囲】
【請求項１】
布団を掛ける衝立状の乾燥機本体と、これを直立状態に支持する支持台とからなり、乾燥機本体は、本体フレームと、これの表面に被着された面状発熱シートと、この面状発熱シートの表面に被着された表面保護材とによって形成してなる布団乾燥機。
【請求項２】
前記乾燥機本体に面状発熱シートのマグネット接続端子を装備し、このマグネット接続端子を電源側のマグネット接続端子に接続させるようになっている請求項１に記載の布団乾燥機。
【請求項３】
前記表面保護材は合成樹脂シートからなる請求項１又は２に記載の布団乾燥機。
【請求項４】
前記乾燥機本体は、上端部を丸く形成すると共に、上端部から下端部に亘って厚さが漸次厚くなるように形成してなる請求項１〜３の何れかに記載の布団乾燥機。
【請求項５】
前記支持台にはロール巻きされた乾燥・脱臭用ロールカバーを備え、布団乾燥時にこのロールカバーを引き出して、乾燥機本体に掛けた布団の表面を被うようになっている請求項１〜４の何れかに記載の布団乾燥機。
【請求項６】
前記乾燥機本体を備えた室内布団乾燥設備であって、建物室内に、開閉可能な前面部と左右側面部と背面部と床面部とで形成される乾燥室を設け、乾燥室には、床面部上の収納位置と前面部からその前方へ引き出される引出位置との間でスライド可能な可動台枠を設け、この可動台枠上には、乾燥機本体を直立状態で前後に一定間隔をおいて複数個配置して、最後部の乾燥機本体は可動台枠上に固定し、他の乾燥機本体は、スライド支持手段によって、可動台枠上の使用位置と、前方へ引き出した可動台枠から左方又は右方へ引き出される非使用位置との間でスライド可能に支持してなる室内布団乾燥設備。
【請求項７】
前記可動台枠には、この可動台枠が収納位置に来た時に乾燥室の背面部側に設けた電源側マグネット接続端子に接続する台枠用マグネット接続端子と、可動側乾燥機本体が使用位置に来た時その面状発熱シートのマグネット接続端子に接続する乾燥機本体用マグネット接続端子とを装備し、前記台枠用マグネット接続端子を前記乾燥機本体用マグネット接続端子と固定側乾燥機本体の面状発熱シートのマグネット接続端子とに夫々接続し、各乾燥機本体には、面状発熱シートのマグネット接続端子に接続した操作部を装備してなる請求項６に記載の室内布団乾燥設備。
【請求項８】
前記スライド支持手段は、可動側乾燥機本体の上端部に長手方向に貫設されたロッド挿入孔と、可動台枠の左右何れか一端部に立設した竪枠の上端側から前記乾燥機本体のロッド挿通孔に挿入可能に突設されたガイドロッドと、可動側乾燥機本体の下端部と可動台枠の上面との間に左右方向に延びるように介装された伸縮スライドレールとからなる請求項６又は７に記載の室内布団乾燥設備。
【請求項９】
前記可動台枠は、乾燥室の床面部と可動台枠下面との間、及び乾燥室の側面部と可動台枠の側端部に立設した竪枠との間に、夫々前後方向に延びるように介装された伸縮スライドレールによって、収納位置と引出位置との間でスライド可能となっている請求項６〜８の何れかに記載の室内布団乾燥設備。
【請求項１０】
前記乾燥室には乾燥機本体の上側に、簀の子状の棚を、乾燥室内に納まる収納位置と乾燥室の前面から手前側へ引き出される引出位置との間でスライド可能に設けてなる請求項６〜９の何れかに記載の室内布団乾燥設備。
【発明の詳細な説明】
【０００１】
【発明の属する技術分野】
本発明は、布団乾燥機及び室内布団乾燥設備に関する。
【０００２】
【従来の技術及びその課題】
布団の乾燥は、従来よりベランダなどでの所謂天日干しによって行なわれているが、このような天日干しによる布団の乾燥は、天気の良い日に限られ、また押入れからベランダまで布団を運ぶのに労作業を要する、といった不都合がある。そこで、天気に関係なく必要な時に手軽に布団を乾燥できる布団専用の乾燥機の出現が望まれるが、未だそのような布団乾燥機は提供されていない。
【０００３】
本発明は、上記の課題に鑑み、必要な時に必要な場所で手軽に布団を乾燥できる布団乾燥機を提供すると共に、建物室内の例えば押入形成用空間部を利用して簡単に施工できる室内布団乾燥設備を提供することを目的とする。
【０００４】
【課題を解決するための手段】
請求項１に係る発明の布団乾燥機は、布団Ｆを掛ける衝立状の乾燥機本体１と、これを直立状態に支持する支持台２とからなり、乾燥機本体１は、本体フレーム４と、これの表面に被着された面状発熱シート５と、この面状発熱シート５の表面に被着された表面保護材６とによって形成してなることを特徴とする。
【０００５】
請求項２は、請求項１に記載の布団乾燥機において、前記乾燥機本体１に面状発熱シート５のマグネット接続端子Ｔ１を装備し、このマグネット接続端子Ｔ１を電源側のマグネット接続端子に接続させるようになっていることを特徴とする。
【０００６】
請求項３は、請求項１又は２に記載の布団乾燥機において、前記表面保護材６は合成樹脂シートからなることを特徴とする。
【０００７】
請求項４は、請求項１〜３の何れかに記載の布団乾燥機において、前記乾燥機本体１は、上端部を丸く形成すると共に、上端部から下端部に亘って厚さが漸次厚くなるように形成してなることを特徴とする。
【０００８】
請求項５は、請求項１〜４の何れかに記載の布団乾燥機において、前記支持台２にはロール巻きされた乾燥・脱臭用ロールカバー３を備え、布団乾燥時にこのロールカバー３を引き出して、乾燥機本体１に掛けた布団Ｆの表面を被うようになっていることを特徴とする。
【０００９】
請求項６に係る発明の室内布団乾燥設備は、前記乾燥機本体１を備えた室内布団乾燥設備であって、建物室内に、開閉可能な前面部ｆと左右側面部ａ，ｅと背面部ｃと床面部ｇとで形成される乾燥室１１を設け、乾燥室１１には、床面部上の収納位置と前面部ｆからその前方へ引き出される引出位置との間でスライド可能な可動台枠１２を設け、この可動台枠１２上には、乾燥機本体１を直立状態で前後に一定間隔をおいて複数個配置して、最後部の乾燥機本体１▲１▼は可動台枠１２上に固定し、他の乾燥機本体１▲２▼，１▲３▼は、スライド支持手段１６によって、可動台枠１２上の使用位置と、前方へ引き出した可動台枠１２から左方又は右方へ引き出される非使用位置との間でスライド可能に支持してなることを特徴とする。
【００１０】
請求項７は、請求項６に記載の室内布団乾燥設備において、前記可動台枠１２には、この可動台枠１２が収納位置に来た時に乾燥室１１の背面部側に設けた電源側マグネット接続端子Ｔ２に接続する台枠用マグネット接続端子Ｔ３と、可動側乾燥機本体１▲２▼，１▲３▼が使用位置に来た時その面状発熱シート５のマグネット接続端子Ｔ１に接続する乾燥機本体用マグネット接続端子Ｔ４とを装備し、前記台枠用マグネット接続端子Ｔ３を前記乾燥機本体用マグネット接続端子Ｔ４と固定側乾乾燥機本体１▲１▼の面状発熱シート５のマグネット接続端子Ｔ１とに夫々接続し、各乾燥機本体１には、面状発熱シート５のマグネット接続端子Ｔ１に接続した操作部９を装備してなることを特徴とする。
【００１１】
請求項８は、請求項６又は７に記載の室内布団乾燥設備において、前記スライド支持手段１６は、可動側乾燥機本体１▲２▼，１▲３▼の上端部に長手方向に貫設されたロッド挿入孔８と、可動台枠１２の左右何れか一端部に立設した竪枠１５の上端側から前記乾燥機本体１▲２▼，１▲３▼のロッド挿通孔８に挿入可能に突設されたガイドロッド１７と、可動側乾燥機本体１▲２▼，１▲３▼の下端部と可動台枠１２の上面との間に左右方向に延びるように介装された伸縮スライドレール１８とからなることを特徴とする。
【００１２】
請求項９は、請求項６〜８の何れかに記載の室内布団乾燥設備において、前記可動台枠１２は、乾燥室１１の床面部ｇと可動台枠１２下面との間、及び乾燥室１１の側面部ｅと可動台枠１２の側端部に立設した竪枠１５との間に、夫々前後方向に延びるように介装された伸縮スライドレール１９，２０によって、収納位置と引出位置との間でスライド可能となっていることを特徴とする。
【００１３】
請求項１０は、請求項６〜９の何れかに記載の室内布団乾燥設備において、前記乾燥室１１には乾燥機本体１の上側に、簀の子状の棚２１を、乾燥室１１内に納まる収納位置と乾燥室１１の前面から手前側へ引き出される引出位置との間でスライド可能に設けてなることを特徴とする。
【００１４】
【発明の実施の形態】
図１は本発明に係る布団乾燥機の斜視図、図２の（Ａ）は同布団乾燥機の正面図、（Ｂ）は同布団乾燥機の右側面図、図３は同布団乾燥機の拡大断面図で、図４の（Ｂ）に対応する拡大断面図である。図４の（Ａ）は図２の（Ａ）のイ−イ線断面図、（Ｂ）は図２の（Ａ）のロ−ロ線断面図である。これらの図面を参照すると、この布団乾燥機は、布団Ｆを二つ折りにして跨がらせるようにして掛ける衝立状の乾燥機本体１と、この乾燥機本体１を直立状態に支持する支持台２と、この支持台２に装備された乾燥・脱臭用ロールカバー３とからなる。以下に、この布団乾燥機の詳細な構造について説明する。
【００１５】
乾燥機本体１は、図３から分かるように、本体フレーム４と、この本体フレーム４の表面に被着された面状発熱シート５と、この面状発熱シート５の表面に被着された表面保護材６とからなる。本体フレーム４は、図２〜図４に示すように、断面正方形状の下枠４ａと、断面縦長矩形状で上端部が半円形状の上枠４ｂと、上下両枠４ａ，４ｂを連結する複数の骨材４ｃ・・・と、上両下枠４ａ，４ｂの夫々前後側面を面一状につなぐ前後側板４ｄ，４ｅと、左右両端部の小口４ｆ，４ｆとによって、上端部が丸く且つ上端部から下端部に亘って厚さが漸次厚くなるような衝立状に形成されたもので、これらの部材４ａ，４ｂ，４ｃ，４ｄ，４ｅ，４ｆは夫々木材からなる。また、前後側板４ｄ，４ｅの夫々裏面には骨材４ｃの取付部分を除いてウレタン等の断熱材４ｇが貼着されている。
【００１６】
また、この本体フレーム４の下枠４ａには下面側に伸縮スライドレール取付用の溝７が長手方向全域に亘って形成され、上枠４ｂにはロッド挿入孔８が長手方向に貫設されている。尚、ロッド挿入孔８は上枠４ｂの左右両端部を被っている小口４ｆ，４ｆも貫通している。
【００１７】
面状発熱シート５は、詳細な構造の図示は省略するが、ポリエステルフィルムに半導体化したチタン酸バリウム系セラミックからなる特殊インクを印刷した発熱層、絶縁層などで構成されるＰＴＣ特性を有する自己温度制御可能なＰＴＣ面状発熱体からなる、厚さが例えば０．５ｍｍ程度の超薄型フィルムヒーターであって、図３に示すように、乾燥機本体１を形成する上枠４ｂ及び前後側板４ｄ，４ｅの表面全域に亘って接着剤などにより貼着されている。
【００１８】
また図１に示すように、面状発熱シート５の電極（図示せず）に接続されたマグネット接続端子Ｔ１が、乾燥機本体１の一端側の小口４ｆの下端部に露出するように装備され、またこの面状発熱シート５のマグネット接続端子Ｔ１に接続されて、タイマーによる通電の時間設定や乾燥機本体１表面の温度設定などを行なう操作部９が乾燥機本体１の他端側下部に装備されている。また図示は省略するが、面状発熱シート５のマグネット接続端子Ｔ１は、この接続端子Ｔ１に対応するマグネット接続端子を介して建物内の電源に接続されるようになっている。
【００１９】
本体フレーム４の表面に被着された面状発熱シート５には、この発熱シート５を傷つけないように表面を保護する表面保護材６が被着されているが、この表面保護材６は、塩化ビニル樹脂など合成樹脂製のシートからなるもので、面状発熱シート５の表面に接着剤などで貼着されている。
【００２０】
支持台２は、硬質の合成樹脂によって一体に成形されたもので、基台部２ａの上面の複数箇所に乾燥機本体１の下端部が嵌合可能な嵌合溝２ｃを形成する両側一対の突起部２ｂ，２ｂを突設し、各一対の突起部２ｂ，２ｂ間に乾燥機本体１の下端部を嵌合させることによって、乾燥機本体１を直立状態に支持するようになっている。また基台部２ａの下面側には移動用のローラー又は車輪１０が複数箇所に軸着されている。
【００２１】
乾燥・脱臭用ロールカバー３は、図１に示すように、乾燥及び脱臭機能を有する木炭系シート材によって乾燥機本体１の長さ程度の幅を有する長尺帯状シートに形成されたもので、支持台２の基台部２ａ上面の一側端部にブラケット３ａ，３ａにより軸架した巻軸３ｂに付勢用のコイルばね（図示省略）介して一方向にロール巻きされていて、当該ロールカバー３の先端部を上記ばねの付勢力に抗して引っ張ることにより所要長さ引き出して、乾燥機本体１に掛けられた布団Ｆの表面を被うようになっている。また図１に示すように、支持台２には基台部２ａ上面の他側端部に、上記ロールカバー３の先端部に取り付けられた係止用フック３ｃを引っ掛けるフック係止部片３ｄ，３ｄが取り付けてあって、布団Ｆの表面を被った状態でロールカバー３の先端部を固定できるようになっている。
【００２２】
上記のように構成される布団乾燥機を使用する時は、乾燥機本体１を直立状態に支持した支持台２を所要の場所、例えば押入れの近くまで移動して、乾燥機本体１のマグネット接続端子Ｔ１に、一端側が室内の電源コンセントに接続された電源コードの他端側にあるマグネット接続端子（図示省略）を接続し、しかして乾燥機本体１に布団Ｆを二つ折りにして掛けた後、乾燥・脱臭用ロールカバー３の先端部を引き出して図１の仮想線で示すように乾燥機本体１に掛けた布団Ｆの表面を被い、その先端部の係止用フック３ｃをフック係止部片３ｄに係止する。それから、乾燥機本体１に設けてある操作部９で温度設定を行い、タイマーの時間設定を行った後、押しボタンスイッチ（図示せず）を押して布団Ｆの乾燥を開始する。この場合、設定温度（乾燥機本体１の表面、即ち表面保護材６の温度）を例えば７０℃、設定時間を例えば６０分とする。
【００２３】
こうして乾燥機本体１に布団Ｆを掛け、操作部９の操作により乾燥を開始してから上記の設定時間を経過すると、その布団Ｆは、途中で裏返しすることなく、そのままの状態で十分に乾燥されることになる。従って、この布団乾燥機によれば、室内の任意の場所で手軽に布団Ｆを乾燥させることができる。またこの布団乾燥機は、構造が簡単で製作が容易であるから、安価に提供することができる。また、この布団乾燥機に装備されている乾燥・脱臭用ロールカバー３は、乾燥機本体１に掛けられた布団Ｆの表面側を被って乾燥を有効に行わせることができると共に、このカバー３を形成している木炭系シート材の脱臭作用によって布団Ｆから発散される悪臭を吸着除去することができる。
【００２４】
また、上記ロールカバー３は、ロール巻きされて支持台２に装備されていて、先端部に取り付けた係止用フック３ｃを、支持台２上のロールカバー３とは反対側に取り付けたフック係止部片３ｄ，３ｄに掛止させるようになっているから、布団Ｆの被い作業を一人で簡単に行えると共に、布団Ｆの表面を被った状態で的確に固定させることができる。
【００２５】
そしてまた、この布団乾燥機の乾燥機本体１は、前述したＰＴＣ特性を有する自己温度制御可能なＰＴＣ面状発熱体からなる面状発熱シート５を有するから、通電すると、素早く昇温し、設定温度に達した後は、自ら温度を制御・維持する機能によってその設定温度に維持される。例えば、通電を開始して１５分で設定温度の７０℃に達した後、残りの４５分間その設定温度の７０℃に維持される。このように面状発熱シート５により表面が加熱される乾燥機本体１に掛けられた布団Ｆを、一定時間経過する間に十分に乾燥させることができる。
【００２６】
更に、この乾燥機本体１は、上端部が丸く形成されていると共に、上端部から下端部に亘って厚さが漸次厚くなるように形成されているから、二つ折りにした布団Ｆの折れ曲がり部分を含む布団Ｆの内側面全体を乾燥機本体１に密着させることができ、それによって布団Ｆを一層有効に加熱乾燥させることができる。
【００２７】
図５〜図１１は、上記布団乾燥機の乾燥機本体１を使用した本発明に係る室内布団乾燥設備の実施形態を示すもので、図５はこの室内布団乾燥設備の正面図、図６は図５のハ−ハ線断面図、図７は図５のニ−ニ線拡大断面図、図８は図７と同様な断面図であるが、可動台枠を前方へ引き出した状態を示す。図９の（Ａ）は図８のホ−ホ線断面図、同図の（Ｂ）は（Ａ）のヘ−ヘ線断面図である。図１０は図５のト−ト線拡大断面図、図１１は図１０と同様な断面図であるが、簀の子状棚を前方へ引き出した状態を示す。
【００２８】
この室内布団乾燥設備は、建物室内の押入形成用空間部Ｓを利用して形成されたものである。この空間部Ｓには、図７に示すように、内周壁面に沿って木製のユニット壁ａ，ｂ，ｃ，ｄが配設されると共に、中間部にはユニット壁ｂ側に寄った位置に耐力壁ｅが配設され、前面入口部ｆに開閉可能な折戸２９が設けられ、しかしてユニット壁ａ（左側面部）と耐力壁ｅ（右側面部）とユニット壁ｃ（背面部）と折戸２９で開閉可能な前面入口部ｆと床面部ｇとによって乾燥室１１が形成される。
【００２９】
乾燥室１１には、図７に示すような床面部ｇ上の収納位置と、前面入口部ｆから前方へ引き出される図８に示すようにな引出位置との間でスライド可能な可動台枠１２が設けられている。この可動台枠１２は、台板１３と、この台板１３上の後端側に立設された平面視略Ｌ字状の後部竪枠１４と、台板１３上の右端側に立設された側部竪枠１５とからなるもので、台板１３上には複数個、例えば３個の乾燥機本体１▲１▼，１▲２▼、１▲３▼が直立状態で前後に一定の間隔をおいて配置され、最後部の乾燥機本体１、即ち乾燥機本体１▲１▼は可動台枠１２上に固定され、他の２つの乾燥機本体１、即ち乾燥機本体１▲２▼，１▲３▼は、スライド支持手段１６によって、図７に示すような可動台枠１２上の使用位置と、図８に示すように前方へ引き出されれた可動台枠１２から同図の左方へ引き出される非使用位置との間でスライド可能に支持されている。可動台枠１２の台板１３前端部には引手２４が設けられている。
【００３０】
乾燥機本体１▲１▼，１▲２▼、１▲３▼は、図１〜図４によって説明した前記布団乾燥機の乾燥機本体１と同じもので、本体フレーム４と、この本体フレーム４の表面に被着された面状発熱シート５と、この面状発熱シート５の表面に被着された表面保護材６とからなり、本体フレーム４の下面側に伸縮スライドレール取付用の溝７が長手方向全域に亘って形成され、上端部にはロッド挿入孔８が長手方向に貫設されている。また、可動側乾燥機本体１▲２▼，１▲３▼の引き出し側端部には引手２５が設けられている。
【００３１】
スライド支持手段１６は、各可動側乾燥機本体１▲２▼，１▲３▼の上端部に長手方向に貫設されたロッド挿入孔８と、可動台枠１２の竪枠１５の上端側所要部から各可動側乾燥機本体１▲２▼，１▲３▼のロッド挿入孔８に挿入可能に突設されたガイドロッド１７と、各可動側乾燥機本体１▲２▼，１▲３▼の下端部の溝７と可動台枠１２の台板１３上面との間に左右方向に延びるように介装された伸縮スライドレール１８とから構成される。このスライド支持手段１６は、部品点数が少なく、構造が簡単でありながら、可動側乾燥機本体１▲２▼，１▲３▼を使用位置と非使用位置との間でスムーズにスライドさせることができると共に、ガイドロッド１７によって可動側乾燥機本体１▲２▼，１▲３▼の横振れを有効に防止することができる。
【００３２】
前記可動台枠１２は、図８及び図９から分かるように、乾燥室１１の床面部ｇと台板１３との間に前後方向に延びるように介装された左右２つの伸縮スライドレール１９，１９と、乾燥室１１の右側面部を形成する耐力壁ｅと可動台枠１２を形成する竪枠１５との間に前後方向に延びるように介装された上下２つの伸縮スライドレール２０，２０とによって、床面部ｇ上の収納位置と前方へ引き出された引出位置との間でスムーズに安定良くスライドできるようになっている。
【００３３】
また可動台枠１２には、可動台枠１２が収納位置に来た時に乾燥室１１のユニット壁ｃ（背面部）に設けられた電源側マグネット接続端子Ｔ２に当接して磁石の吸着力で接続する台枠用マグネット接続端子Ｔ３と、スライド側乾燥機本体１▲２▼、１▲３▼が使用位置に来た時その面状発熱シート５のマグネット接続端子Ｔ１に当接して磁石の吸着力で接続する乾燥機本体用マグネット接続端子Ｔ４とが装備されており、台枠用マグネット接続端子Ｔ３は、各乾燥機本体用マグネット接続端子Ｔ４と固定側乾燥機本体１▲１▼の面状発熱シート５のマグネット接続端子Ｔ１とに夫々接続するように配線されている。また、各乾燥機本体１▲１▼，１▲２▼，１▲３▼には、前述のように面状発熱シート５のマグネット接続端子Ｔ１に接続されて、タイマーによる通電の時間設定や乾燥機本体１表面の温度設定などを行なう操作部９が装備されている。
【００３４】
また前記乾燥室１１には、図５，図６、図１０及び図１１から分かるように、乾燥機本体１▲１▼，１▲２▼，１▲３▼の上側に隣接した位置に木製の簀の子状棚２１が、図１０のように乾燥室１１内に納まる収納位置と図１１のように乾燥室１１の入口部ｆから手前側へ引き出される引出位置との間でスライド可能に設けられ、またこの簀の子状棚２１の上方には木製の枕棚２２が設けられている。簀の子状棚２１は、この棚２１の左右端部と乾燥室１１のユニット壁ａ（左側面部）及び耐力壁ｅ（右側面部）との間に夫々介装された伸縮スライドレール２３，２３によって収納位置と引出位置との間でスムーズにスライドできるようになっている。この棚２１の前面中央部には引手２６が設けられている。
【００３５】
上記のように構成される室内布団乾燥設備を使用して布団Ｆを乾燥する時は、先ず、折戸２９を開放し、図７に示すように収納位置にある可動台枠１２を前方へ引き出して図８に示すような引出位置にセットする。こうして引き出した可動台枠１２上にある３つの乾燥機本体１▲１▼，１▲２▼，１▲３▼のうち、手前側２つの可動側乾燥機本体１▲２▼，１▲３▼を夫々可動台枠１２上の使用位置から図８に示すように左方へ引っ張り出し、この状態で可動台枠１２上の最後部の固定側乾燥機本体１▲１▼に布団Ｆを掛ける。この後、非使用位置にある乾燥機本体１▲２▼を元の使用位置に戻して、この乾燥機本体１▲２▼に別の布団Ｆを掛け、更に非使用位置にある最前部の乾燥機本体１▲３▼を元の使用位置に戻して、この乾燥機本体１▲３▼に更に別の布団Ｆを掛ける。このようにすれば、可動台枠１２上の狭い空間部で布団掛け作業を迅速容易に行うことができる。
【００３６】
こうして可動台枠１２上の３つの乾燥機本体１▲１▼，１▲２▼，１▲３▼に夫々布団Ｆを掛け終えたならば、可動台枠１２を後方へ押して乾燥室１１内の収納位置にセットする。このように可動台枠１２を収納位置にセットすると共に、各乾燥機本体１を可動台枠１２上で使用位置にセットすることによって、乾燥機本体１の面状発熱シート５が室内の電源と接続され、通電が可能な状態となる。しかし、この状態では未だ乾燥機本体１の面状発熱シート５には通電されず、乾燥機本体１の操作部９でタイマーによる時間設定を行い、押しボタンスイッチを押して初めて通電されることになる。
【００３７】
即ち、引出位置にある可動台枠１２上の乾燥機本体１▲２▼，１▲３▼を夫々非使用位置から使用位置に戻すと、乾燥機本体１▲２▼，１▲３▼の夫々面状発熱シート５のマグネット接続端子Ｔ１が可動台枠１２の各乾燥機本体用マグネット接続端子Ｔ４と接続し、そしてこの可動台枠１２を引出位置から収納位置に戻すことによって、台枠用マグネット接続端子Ｔ３が電源側マグネット接続端子Ｔ２と接続し、それによって収納位置にある可動台枠１２上の全ての乾燥機本体１▲１▼，２▲２▼，１▲３▼の面状発熱シート５が通電可能な状態となる。
【００３８】
しかして、各乾燥機本体１の操作部９において、温度設定を行い、タイマーによる時間設定を行った後、押しボタンスイッチを押すことにより、各乾燥機本体１の面状発熱シート５が電源に通電されて布団Ｆの乾燥が開始する。この場合、各乾燥機本体１の設定温度（乾燥機本体１の表面、即ち表面保護材６の温度）を例えば７０℃、設定時間を例えば６０分とする。この布団Ｆの乾燥中は、折戸２９を引っ張って乾燥室１１の前面入口部ｆを閉めておく。尚、各乾燥機本体１の作用については、図１〜図４によって説明した布団乾燥機の場合と殆ど同じであるため、その説明は省略する。
【００３９】
各乾燥機本体１による布団Ｆの乾燥が終了すれば、可動台枠１２を収納位置から前方へ引き出して、その引出位置で可動台枠１２上の乾燥機本体１▲１▼，１▲２▼，１▲３▼に夫々掛かっている布団Ｆを降ろして、押入に運び入れる。この布団降ろしに際しては、可動台枠１２上の可動側乾燥機本体１▲２▼，１▲３▼を使用位置から非使用位置へとスライドさせるようにすると、その降ろし作業が楽に行える。
【００４０】
以上説明したような室内布団乾燥設備によれば、建物室内の例えば押入用空間部を利用して密閉可能な乾燥室１１を形成し、この乾燥室１１に衝立状の乾燥機本体１を複数個直立状態で前後に一定間隔をおいて配設し、これらの乾燥機本体１▲１▼，１▲２▼，１▲３▼に夫々布団Ｆを掛けて布団Ｆを乾燥するようにしたものであるから、密閉状の乾燥室１１内で複数の布団Ｆを有効に乾燥させることができる。また、この室内布団乾燥設備では、複数個の乾燥機本体１を乾燥室１１内に単に配設するのではなく、この乾燥室１１には床面部ｇ上の収納位置と前面入口部ｆから前方へ引き出される引出位置との間でスライド可能な可動台枠１２を設け、この可動台枠１２上に乾燥機本体１を一定間隔で並設し、最後部の乾燥機本体１▲１▼は可動台枠１２上に固定し、他の乾燥機本体１▲２▼，１▲３▼は、可動台枠１２を引出位置に引き出した状態でスライド支持手段１６によって、可動台枠１２上の使用位置と、可動台枠１２から引き出される非使用位置との間でスライド可能に支持しているから、布団Ｆを乾燥するにあたって乾燥機本体１に布団Ｆを掛ける際に、可動台枠１２を乾燥室１１から外へ引き出し、更にこの引出位置で可動側乾燥機本体１▲２▼，１▲３▼を非使用位置へ引き出すことによって、布団掛けを容易に行うことができる。これは、乾燥を終えた後、布団Ｆを乾燥機本体１から降ろす時も同様である。
【００４１】
また、この室内布団乾燥設備では、可動台枠１２が引出位置にある時は乾燥機本体１の面状発熱シート５への通電がされず、引出位置にある可動台枠１２が収納位置に戻り、この可動台枠１２上の乾燥機本体１▲２▼，１▲３▼が使用位置にあり、更に各乾燥機本体１の操作部９で押しボタンスイッチを押すことによって、面状発熱シート５がタイマーを介して通電されるようになっているから、準備している段階で知らぬ間に面状発熱シート５が通電状態となっていたり、また必要時間以上に布団Ｆを加熱して布団Ｆを焦がしたりするような危険な事態が回避され、設備使用上の十分な安全性を確保することができる。
【００４２】
また、この室内布団乾燥設備において、乾燥室１１には、乾燥機本体１の上側に隣接した位置に簀の子状の棚２１が、乾燥室１１内に納まる収納位置と手前側へ引き出される引出位置との間でスライド可能に設けられているから、この簀の子状棚２１に布団Ｆやその他の寝具などを載せておけば、下方の乾燥機本体１からの熱気によってそれらを乾燥させることができると共に、この棚２１に対する寝具などの出し入れも容易となって、非常に便利である。
【００４３】
尚、図５及び図７において、２７は押入形成用空間部Ｓ内の右側に乾燥室１１と隣接して形成される物置で、ここには棚２８が複数段に設けられている。また３０は乾燥室１１と物置２７とを仕切るユニット壁ｂの上下部に設けられた通気用開口部である。
【００４４】
以上説明した本発明の室内布団乾燥設備は、建物新設時のみならず、既設の建物の押入、納戸、物置などを改造して簡単に施工、形成することができる。
【００４５】
【発明の効果】
請求項１に係る発明の布団乾燥機は、室内の任意の場所で手軽に布団を乾燥させることができると共に、布団の掛け降ろしを容易に行うことができ、非常に有用である。また、この布団乾燥機は、構造が簡単で製作が容易であるから、安価に提供することができる。
【００４６】
請求項２に係る発明の布団乾燥機によれば、乾燥機本体に面状発熱シートのマグネット接続端子を装備し、このマグネット接続端子を電源側のマグネット接続端子に接続するようになっているから、使用にあたって電源への接続が簡単容易となる。
【００４７】
請求項３に係る発明の布団乾燥機によれば、乾燥機本体の表面保護材が合成樹脂シートからなるため、面状発熱シートの表面を安全に保護できると共に、乾燥機本体に掛ける布団を傷めるようなことがない。
【００４８】
請求項４に係る発明の布団乾燥機によれば、乾燥機本体の上端部を丸く形成すると共に、上端部から下端部に亘って厚さが漸次厚くなるように形成しているから、二つ折りにした布団の折れ曲がり部分を含む布団の内側面全体を乾燥機本体に密着させることができ、それによって布団を一層有効に加熱乾燥させることができる。
【００４９】
請求項５に係る発明の布団乾燥機によれば、支持台にはロール巻きされた乾燥・脱臭用ロールカバーを備え、布団乾燥時にこのカバーを引き出して、乾燥機本体に掛けた布団の表面を被うようになっているから、布団の表面側を被って乾燥を有効に行わせるとことができると共に、布団から発散される悪臭を吸着除去することができる。
【００５０】
請求項６に係る発明の室内布団乾燥設備は、室内の押入などの空間部を利用して簡単に施工できるもので、その空間部内に密閉可能な乾燥室を形成し、この乾燥室乾燥機本体を複数個直立状態で前後に一定間隔をおいて配設し、これらの乾燥機本体に夫々布団を掛けて乾燥するようにしたものであるから、乾燥室内で複数の布団を有効に乾燥させることができる。
【００５１】
また、布団を乾燥するにあたって乾燥機本体に布団を掛ける際に、可動台枠を乾燥室から外へ引き出し、更にこの引出位置で可動側乾燥機本体を非使用位置へ引き出すことによって、布団掛けが容易に行なえる。これは、乾燥を終えた後、布団を乾燥機本体から降ろす時も同様で、その布団降ろしも容易に行なえる。
【００５２】
請求項７に係る発明の室内布団乾燥設備によれば、可動台枠が引出位置にある時は乾燥機本体の面状発熱シートには通電されず、引出位置にある可動台枠が収納位置に戻り、この可動台枠上の乾燥機本体が使用位置にあり、更には各乾燥機本体の操作部を操作することによって面状発熱シートが通電されるようになっているから、準備している段階で知らぬ間に面状発熱シートが通電状態となったり、また必要時間以上に布団を加熱して布団を焦がしたり、更には火事を起こすような重大な事態を回避できて、十分な安全性を確保することができる。
【００５３】
請求項８に係る発明の室内布団乾燥設備によれば、スライド支持手段は、可動側乾燥機本体上端部に長手方向に貫設されたロッド挿入孔と、可動台枠の竪枠上端側から上記乾燥機本体のロッド挿通孔に挿入可能に突設されたガイドロッドと、可動側乾燥機本体下端部と可動台枠の上面との間に介装された伸縮スライドレールとからなるもので、部品点数が少なく、構造が簡単でありながら、可動側乾燥機本体を使用位置と非使用位置との間でスムーズにスライドさせることができると共に、ガイドロッドによって可動側乾燥機本体の横振れを防止できる。
【００５４】
請求項９に係る発明の室内布団乾燥設備によれば、可動台枠は、乾燥室の床面部と可動台枠下面との間及び乾燥室の側面部と可動台枠の竪枠との間に夫々介装された伸縮スライドレールによって収納位置と引出位置との間でスライドできるようになっているから、収納位置と引出位置との間の可動台枠のスライド操作を安定良くスムーズに行わせることができる。
【００５５】
請求項１０に係る発明の室内布団乾燥設備によれば、乾燥室には乾燥機本体の上側に簀の子状の棚を乾燥室内に納まる収納位置と乾燥室の前面から手前側へ引き出される引出位置との間でスライド可能に設けているから、この簀の子状棚に布団やその他の寝具などを載せておけば、下方の乾燥機本体からの熱気によってそれらを乾燥させることができると共に、この棚に対する寝具などの出し入れも容易となる。
【図面の簡単な説明】
【図１】本発明に係る布団乾燥機を示す斜視図である。
【図２】（Ａ）は同布団乾燥機の正面図、（Ｂ）は同布団乾燥機の右側面図である。
【図３】同布団乾燥機の拡大断面図である。
【図４】（Ａ）は図２の（Ａ）のイ−イ線断面図、（Ｂ）は図２の（Ａ）のロ−ロ線断面図である。
【図５】室内布団乾燥設備の正面図である。
【図６】図５のハ−ハ線断面図である。
【図７】図５のニ−ニ線拡大断面図である。
【図８】図７と同様な断面図であるが、可動台枠を前方へ引き出した状態を示す。
【図９】（Ａ）は図８のホ−ホ線断面図、同図の（Ｂ）は（Ａ）のヘ−ヘ線断面図である。
【図１０】図５のト−ト線拡大断面図である。
【図１１】図１０と同様な断面図であるが、簀の子状棚を前方へ引き出した状態を示す。
【符号の説明】
Ｆ          布団
１          乾燥機本体
２          支持台
３          乾燥・脱臭用ロールカバー
４          本体フレーム
５          面状発熱シート
６          表面保護材
８          ロッド挿入孔
Ｔ１        面状発熱シートのマグネット接続端子
１１        乾燥室
１２        可動台枠
１３        伸縮スライドレール
Ｔ２        電源側マグネット接続端子
Ｔ３        台枠用マグネット接続端子
Ｔ４        乾燥機本体用マグネット接続端子
１２        可動台枠
１５        可動台枠に立設した竪枠
１６        スライド支持手段
１７        ガイドロッド
１８        伸縮スライドレール
１９        伸縮スライドレール
２０        伸縮スライドレール
２１        簀の子状棚
【図１】
2004190974.tif 000003
【図２】
2004190974.tif 000004
【図３】
2004190974.tif 000005
【図４】
2004190974.tif 000006
【図５】
2004190974.tif 000007
【図６】
2004190974.tif 000008
【図７】
2004190974.tif 000009
【図８】
2004190974.tif 000010
【図９】
2004190974.tif 000011
【図１０】
2004190974.tif 000012
【図１１】
2004190974.tif 000013